(57)【要約】【課題】ユーザの画像処理装置に対する操作性をより向上させる画像処理装置および画像処理システムを提供する。【解決手段】撮像装置から出力される画像信号を入力する入力手段と、画像信号に基づく画像を、複数の分割エリアに分割し、該分割エリア内の各々の画像である分割エリア画像の各々の輝度に対して、分割エリア毎に設定される利得値に基づいて利得調整する利得調整手段と、利得調整手段により、利得調整が施された画像をモニタの第１位置に表示する第１表示手段と、分割エリア毎の利得値に寄与する利得寄与値をモニタの第１位置とは異なる第２位置に表示する第２表示手段と、第２表示手段により表示された利得寄与値を分割エリア毎に設定する設定手段を備えることを特徴とする。【選択図】図５
2010068492.tif 000002
【特許請求の範囲】
【請求項１】
撮像装置から出力される画像信号を入力する入力手段と、
前記画像信号に基づく画像を、複数の分割エリアに分割し、該分割エリア内の各々の画像である分割エリア画像の各々の輝度に対して、前記分割エリア毎に設定される利得値に基づいて利得調整する利得調整手段と、
前記利得調整手段により、利得調整が施された画像をモニタの第１位置に表示する第１表示手段と、
前記分割エリア毎の利得値に寄与する利得寄与値を前記モニタの前記第１位置とは異なる第２位置に表示する第２表示手段と、
前記第２表示手段により表示された前記利得寄与値を前記分割エリア毎に設定する設定手段を備えることを特徴とする、画像処理装置。
【請求項２】
ポインティングデバイスおよびグラフィカルユーザーインターフェース機能を更に備え、
前記第２表示手段において、前記利得寄与値はプルダウンボタンで選択可能に表示され、前記設定手段は、該プルダウンボタンを前記ポインティングデバイスが操作されることにより、前記利得寄与値を設定することを特徴とする、請求項１に記載の画像処理装置。
【請求項３】
分割測光で算出される露出値に基づいて露出調整を行って被写体の撮像を行い、画像信号を生成して該画像信号を出力する撮像装置と、
前記撮像装置と接続され、前記画像信号を入力する入力手段を備える画像処理装置で構成される画像処理システムであって、
前記画像処理装置は、
前記画像信号に基づく画像を、複数の分割エリアに分割し、該分割エリア内の各々の画像である分割エリア画像の各々の輝度に対して、前記分割エリア毎に設定される利得値に基づいて利得調整する利得調整手段と、
前記利得調整手段により、利得調整が施された画像をモニタの第１位置に表示する第１表示手段と、
前記分割エリア毎の利得値に寄与する利得寄与値を前記モニタの前記第１位置とは異なる第２位置に表示する第２表示手段と、
前記第２表示手段により表示された前記利得寄与値を前記分割エリア毎に設定する設定手段を備え
前記撮像装置は、
前記画像処理装置によって、前記設定手段により前記分割エリア毎に設定された利得寄与値に対応する重み付け量に基づいて露出値を算出することを特徴とする、画像処理システム。
【請求項４】
前記画像処理装置は、ポインティングデバイスおよびグラフィカルユーザーインターフェース機能を更に備え、
前記第２表示手段において、前記利得寄与値はプルダウンボタンで選択可能に表示され、前記設定手段は、該プルダウンボタンを前記ポインティングデバイスが操作されることにより、前記利得寄与値を設定することを特徴とする、請求項３に記載の画像処理システム。
【請求項５】
撮像装置から出力される画像信号を入力する画像処理装置を制御する画像処理プログラムであって、
前記画像処理プログラムは、
前記画像信号に基づく画像を、複数の分割エリアに分割し、該分割エリア内の各々の画像である分割エリア画像の各々の輝度に対して、前記分割エリア毎に設定される利得値に基づいて利得調整する第１ステップと、
前記第１ステップにより、利得調整が施された画像をモニタの第１位置に表示する第２ステップと、
前記分割エリア毎の利得値に寄与する利得寄与値を前記モニタの前記第１位置とは異なる第２位置に表示する第３ステップと、
前記第２表示手段により表示された前記利得寄与値を前記分割エリア毎に設定する第４ステップを備えることを特徴とする、画像処理プログラム。
【請求項６】
請求項５に記載された画像処理プログラムが格納された、記録媒体。
【発明の詳細な説明】
【技術分野】
【０００１】
本発明は、特に例えば撮像装置から出力される画像信号に基づく画像をモニタに表示し、該モニタに表示される画像に対して、ユーザの操作の便利性を高めるために所定の処理を施す画像処理装置および画像処理システムに関する。
【背景技術】
【０００２】
監視カメラと画像処理装置を接続し、該監視カメラから出力される画像信号を該画像処理装置などに入力し、該画像信号に基づく画像を、表示機能を持つ画像処理装置で表示するものや、監視カメラで撮像された映像に対して画質の補正できる装置が、近年セキュリティ装置として望まれる。その一つに、逆光補正が挙げられる。近年、この逆光補正の機能を持つ監視カメラシステムが賞用されている。
【０００３】
この種の監視カメラシステムの一例が、特許文献１に開示されている。この従来技術の監視カメラシステムでは、監視カメラで撮像された撮像データに基づいて輝度を検出し、逆光画像か否かを判別し、逆光である場合には、逆光で影となっている部分を明るくする階調補正を行っている。
【特許文献１】特開２００２−１８０１５２号公報
【発明の開示】
【発明が解決しようとする課題】
【０００４】
従来技術では、自動的に逆光画像か否かを判別し、逆光補正処理を実行している。さて、監視カメラと表示器を具備する画像処理装置を接続した場合、該監視カメラからの画像信号に基づく画像を、該画像処理装置の表示器に表示し、表示器に表示される画像を複数のエリアに分割し、ユーザの操作の利便性を高めるために、分割された複数のエリアに対応する画像信号に対して所定の処理を施し、エリア毎に色や輝度を変化させた画像を表示させる使用例が考えられる。このような、使用例に基づいて、特に例えば、分割測光により逆光補正処理をする際に、ユーザによる各エリアに対する重み付けのパラメータの設定に基づき、表示器に表示される画像が変化すれば、ユーザの画像処理装置に対する操作の結果が画像に反映され、よりユーザによる設定が行いやすくなる。
【０００５】
本発明は、上記の提案を実現するもので、ユーザの画像処理装置に対する操作性をより向上させる画像処理装置および画像処理システムを提供するものである。
【課題を解決するための手段】
【０００６】
第１の発明の画像処理装置は、撮像装置から出力される画像信号を入力する入力手段と、画像信号に基づく画像を、複数の分割エリアに分割し、該分割エリア内の各々の画像である分割エリア画像の各々の輝度に対して、分割エリア毎に設定される利得値に基づいて利得調整する利得調整手段と、利得調整手段により、利得調整が施された画像をモニタの第１位置に表示する第１表示手段と、分割エリア毎の利得値に寄与する利得寄与値をモニタの第１位置とは異なる第２位置に表示する第２表示手段と、第２表示手段により表示された利得寄与値を分割エリア毎に設定する設定手段を備えることを特徴とする。
【０００７】
第２の発明の画像処理装置は、第１の発明の画像処理装置に従属し、ポインティングデバイスおよびグラフィカルユーザーインターフェース機能を更に備え、第２表示手段において、利得寄与値はプルダウンボタンで選択可能に表示され、設定手段は、該プルダウンボタンをポインティングデバイスが操作されることにより、前記利得寄与値を設定することを特徴とする。
【０００８】
第３の発明の画像処理システムは、分割測光で算出される露出値に基づいて露出調整を行って被写体の撮像を行い、画像信号を生成して該画像信号を出力する撮像装置と、撮像装置と接続され、画像信号を入力する入力手段を備える画像処理装置で構成される画像処理システムであって、画像処理装置は、画像信号に基づく画像を、複数の分割エリアに分割し、該分割エリア内の各々の画像である分割エリア画像の各々の輝度に対して、分割エリア毎に設定される利得値に基づいて利得調整する利得調整手段と、利得調整手段により、利得調整が施された画像をモニタの第１位置に表示する第１表示手段と、分割エリア毎の利得値に寄与する利得寄与値をモニタの第１位置とは異なる第２位置に表示する第２表示手段と、第２表示手段により表示された利得寄与値を分割エリア毎に設定する設定手段を備え、撮像装置は、画像処理装置によって、設定手段により分割エリア毎に設定された利得寄与値に対応する重み付け量に基づいて露出値を算出することを特徴とする。
【０００９】
第４の発明の画像処理システムは、第３の画像処理システムに従属し、画像処理装置は、ポインティングデバイスおよびグラフィカルユーザーインターフェース機能を更に備え、第２表示手段において、利得寄与値はプルダウンボタンで選択可能に表示され、設定手段は、該プルダウンボタンをポインティングデバイスが操作されることにより、利得寄与値を設定することを特徴とする。
【００１０】
第５の発明の画像処理プログラムは、撮像装置から出力される画像信号を入力する画像処理装置を制御する画像処理プログラムであって、画像処理プログラムは、画像信号に基づく画像を、複数の分割エリアに分割し、該分割エリア内の各々の画像である分割エリア画像の各々の輝度に対して、分割エリア毎に設定される利得値に基づいて利得調整する第１ステップと、第１ステップにより、利得調整が施された画像をモニタの第１位置に表示する第２ステップと、分割エリア毎の利得値に寄与する利得寄与値をモニタの第１位置とは異なる第２位置に表示する第３ステップと、第２表示手段により表示された利得寄与値を分割エリア毎に設定する第４ステップを備えることを特徴とする。
【００１１】
第５の発明の記録媒体は、第５の  発明の画像処理プログラムが格納されていることを特徴とする。
【発明の効果】
【００１２】
この発明の画像処理装置および画像処理システムによれば、ユーザの画像処理装置に対する操作性をより向上させることができる。
【発明を実施するための最良の形態】
【００１３】
本実施例では、本発明の画像処理装置および画像処理システムの１つの例として、監視カメラ１０と、該監視カメラ１０とＬＡＮケーブルを介して接続され、該監視カメラ１０から出力される画像信号を入力する画像処理装置１４と、該監視カメラ１０とコンポジットケーブルを介して接続される監視用モニタ１２とで構成される監視カメラシステム２の形態を用いて説明する。
【００１４】
図１は、本実施例の監視カメラ１０と監視用モニタ１２および画像処理装置１４の接続例を示している。画像処理装置１４は、監視カメラ１０とＬＡＮケーブルを介して接続され、監視用モニタ１２は、監視カメラ１０とコンポジットケーブルを介して接続される。画像処理装置１４は、ＬＣＤモニタ１４ａと信号処理装置１４ｂとポインティングデバイス１４ｃを備えて構成される。監視カメラ１０で撮像され、画像信号の生成および該画像信号に対して信号処理された圧縮画像データは、ＬＡＮケーブルを介して、信号処理装置１４ｂに入力される。また、監視カメラ１０で生成された画像信号は、ビデオ信号に変換され、コンポジットケーブルを介して監視用モニタ１２に入力される。
【００１５】
監視用モニタ１２では、ユーザによるモニタリングが為され、信号処理装置１４ｂに入力された圧縮画像データは、信号処理装置１４ｂ内で、該圧縮画像データの記録処理、および監視用モニタ１２おけるユーザによるモニタリングのための、該圧縮画像データに基づく画像を表示して、さまざまな設定が為される。
【００１６】
次に、図１で示した監視カメラ１０内部のブロック図である図２および図３を用いて、監視カメラ１０の詳細を説明する。
【００１７】
監視カメラ１０は、撮像レンズ１６、絞り１７、ＣＭＯＳイメージャ１８、調整用モータ１９、撮像処理部２０、タイミングジェネレータ（ＴＧ）２２、ＣＰＵ２４、ＳＤＲＡＭ２８、圧縮処理部３０、Ｄ／Ａ変換部３２、ビデオエンコーダ３４、バス３６、ビデオ信号出力インタフェース３８および通信インタフェース４０で構成される。
【００１８】
撮像レンズ１６は、被写体の光学像を、撮像デバイスであるＣＭＯＳイメージャ１８の撮像面上に結像させる。また、任意のシャッタースピードに対応するように、ＴＧ２２から出力されるタイミング信号に従って、ＣＭＯＳイメージャ１８からアナログ撮像信号が出力される。ＣＰＵ２４は、該アナログ撮像信号から得られるデータに基づいて、調整用モータ１９を制御する。調整用モータ１９は、撮像レンズ１６の光軸方向の移動を調節し、絞り１７を制御することによって、ＣＭＯＳイメージャ１８に入る光の量を調整する。この調整用モータ１９は、図示しない、レンズ駆動用モータおよび絞り調整用モータで構成されている。そして、ＣＭＯＳイメージャ１８から出力されたアナログ撮像信号は、撮像処理部２０に入力される。
【００１９】
次に図３を参照して、撮像処理部２０について説明する。撮像処理部２０は、ＡＦＥ回路４２、信号処理回路４４、輝度検出回路４６、重み付け回路４８、積分回路５０、演算回路５２および重み付けテーブルを保持する重み付けテーブルメモリ５２で構成される。
【００２０】
ＣＭＯＳイメージャ１８から出力されたアナログ撮像信号は、ＡＦＥ回路４２に入力され、Ａ／Ｄ変換処理、ＣＤＳ処理、ＡＧＣ処理およびクランプ処理などの処理が施され、該処理が施されたデジタル撮像信号は、一旦、ＳＤＲＡＭ２８に格納される。  
【００２１】
ＳＤＲＡＭ２８に一旦格納されたデジタル撮像信号は、信号処理回路４４に入力され、色分離処理、ＡＷＢ処理、ＹＵＶ変換処理等のさまざまな信号処理が施され、その結果、輝度信号であるＹ信号および色差信号であるＵ、Ｖ信号が生成され、再びデジタル画像データとしてＳＤＲＡＭ２８へ格納される。
【００２２】
さて、図２を参照して、監視カメラ１０のＣＰＵ２４の制御について説明する。調整用モータ１９、ＴＧ２２、撮像処理部２０、圧縮処理部３０、ＳＤＲＡＭ２８、Ｄ／Ａ変換部および通信インタフェース４０は、バス３６を介して、ＣＰＵ２４によって制御される。
【００２３】
ＣＰＵ２４は、また、通信インタフェース４０から、画像処理装置１４から出力される指示／設定データなどを、認識する。例えば、監視を開始する、つまり撮像を開始するための指示データであると判断すると、該撮像開始指示に対応して撮像処理を実行し、圧縮処理を施し、該処理が施された圧縮画像データを画像処理装置１４へ送信する。
【００２４】
上述したように、指示／設定データの例として、撮像開始指示のデータを挙げたが、ホワイトバランス変更データや、図示しない監視カメラ１０の撮像レンズ１６を含むレンズユニットを、パンチルトさせるためのモータを制御するパンチルト制御データや、後述する逆光補正モード有効データおよび該逆光補正のための逆光補正設定値データであってもよい。
【００２５】
さて、本実施例の撮像装置１０は、被写体に高輝度な光源がある状態で撮像する際に、適切な露出値を算出し、露出調整を行って撮像を行う、逆光補正モードを備えている。この逆光補正モードによる逆光補正処理では、１フレーム分の画像を複数のエリア、即ち分割エリアに分割して測光し、分割エリア毎の輝度データを得る分割測光によって、露出値を算出し、算出された露出値に基づいて、絞り値、ＡＧＣ値およびシャッタースピードを決定する。また、露出値を算出するために、分割エリア毎に重み付け量が割り当てられた重み付けテーブルが重み付けテーブルメモリ５２に設けられており、輝度データおよび重み付けテーブルを用いて露出値が算出される。
【００２６】
次に、本実施例の監視カメラ１０の撮像処理についてＣＰＵ２４の制御を中心に説明する。
【００２７】
ＣＰＵ２４は、画像処理装置１４から撮像開始指示を受け付けると、撮像レンズ１６、絞り１７、ＣＭＯＳイメージャ１８、調整用モータ１９、撮像処理部２０、ＴＧ２２およびＳＤＲＡＭ２８を制御することによって、任意のフレームレートに従って、Ｙ、Ｕ、Ｖ信号を繰り返し生成する。
【００２８】
そして、Ｙ、Ｕ、Ｖ信号はバス３６を介して、再びＳＤＲＡＭ２８に格納され、圧縮処理部３０へ繰り返し入力される。そして、圧縮処理部３０は、圧縮処理としてＨ２６４方式またはＭｏｔｉｏｎＪＰＥＧ方式に従って、Ｙ、Ｕ、Ｖ信号に対し圧縮処理を施し、圧縮処理により生成された圧縮画像データは、バス３６を介して、再びＳＤＲＡＭ２８に格納される。そして、ＳＤＲＡＭ２８に格納されている圧縮画像データは、通信インタフェース４０を介して、パケット毎に画像処理装置１４へ出力される。
【００２９】
また、ＣＰＵ２４は、画像処理装置１４から逆光補正モード有効化指示を受けつけると、逆光補正処理を実行する。具体的には、ＣＰＵ２４は、ＳＤＲＡＭ２８に格納されているデジタル画像データであるＹ信号を、輝度検出回路４６へ入力し、１フレーム分のデジタル画像データであるＹ信号を、複数の分割エリアに分割し、複数の分割エリア毎に輝度データを算出する。即ち、分割エリア毎に輝度信号をデジタル積分して、この積分値を分割エリア毎の輝度データとして出力する。本実施例では、１フレームを６行×８列の４８個の分割エリアに分割し、夫々の分割エリアの輝度データを算出する。算出された輝度データは、重み付け回路４８に入力される。重み付け回路４８は、重み付けテーブル５２に設定されている分割エリア毎の重み付け量に基づいて、重み付け処理を施す。つまり、重み付け回路４８は、分割エリア毎の輝度データに該当エリアの重み付け量を掛け算する。
【００３０】
重み付け処理が施された分割エリア毎の輝度データは、積分回路５０によって積分される。即ち、分割エリア毎の輝度データを加算し、言い換えると、４８個の分割エリアに対応する輝度データの総和を積分値として出力する。演算回路５２は、積分回路５０から出力された積分値をそれぞれのブロックに割り当てられた重み付け量の総和で割り算し、これによって露出調整の評価対象となる輝度評価値を算出する。そして、ＣＰＵ２４は、演算回路５２から出力される輝度評価値が、最適露出が実現される目標値となるように、絞り値、ＡＧＣ値およびシャッタースピードを決定し、逆光補正処理を実行する。逆光補正が施されたデジタル画像データは、Ｄ／Ａ変換部３２、ビデオエンコーダ３４およびビデオ信号出力インタフェースを経て、監視用モニタ１２へビデオ信号として出力される。また、上述した重み付け量は、画像処理装置１４によって設定された重み付け設定値に基づいて、設定される。具体的な説明は後述する。
【００３１】
次に、図４を参照して、画像処理装置１４の詳細を説明する。先に説明したとおり、画像処理装置１４は、ＬＣＤモニタ１４ａ、信号処理装置１４ｂおよびポインティングデバイス１４ｃで構成されている。
【００３２】
信号処理装置１４ｂは、通信インタフェース６０、ＣＰＵ６４、ポインティングデバイスドライバ６６、伸張処理部６８、領域毎の利得値を格納する利得値メモリ７０ａを含むＳＤＲＡＭ７０、ＬＣＤモニタドライバ７２、バス７４、ハードディスクドライバ７６およびハードディスク７８で構成されている。
【００３３】
ＣＰＵ６４は、通信インタフェース６０、伸張処理部６８、ＳＤＲＡＭ７０、ＬＣＤモニタドライバ７２およびハードディスクドライバ７６を、バス７４を介して制御する。また、ポインティングデバイスドライバ６６とも接続される。ユーザによって、ポインティングデバイス１４ｃが操作されることにより、ポインティングデバイス１４ｃから出力されるＬＣＤモニタ１４ａ上でのカーソルの位置情報が、ポインティングデバイスドライバ６６を介してＣＰＵ６４へ入力される。ハードディスクドライバ７６は、ハードディスク７８と接続され、必要に応じて、圧縮画像データがハードディスク７８に記録される。
【００３４】
画像処理装置１４では、ハードディスク７８に圧縮画像データを記録する記録処理および、監視カメラ１０の逆光補正モードにおける重み付け量に寄与する重み付け設定値の設定を行う、逆光補正設定処理を実行する。
【００３５】
次に、逆光補正設定処理について、図５を参照して説明する。この逆光補正設定処理では、ユーザの操作によって、逆光補正処理における分割エリアの夫々の重み付け量に寄与する重み付け設定値を設定する。
【００３６】
図５は、逆光補正設定処理を実行するための、設定画面を示している。設定画面の上側には、全体画像エリアＶに圧縮画像信号、ここではＪＰＥＧ画像データに基づく画像が表示されるとともに、６行×８列の４８個の分割エリアに分割されるように、分割線が重畳されて表示される。また、設定画面の下側には、設定変更エリアＵが表示される。該設定変更エリアＵは、設定アイテムおよび設定値がプルダウンボタンを用いて表示される。また、設定変更エリアＵの下側に、さまざまな設定を決定するセットボタンＳが表示される。そして、プルダウンボタンまたはボタンＳが、ポインティングデバイス１４ｃからの操作によって、選択および設定されるように、本実施例における画像処理装置１４は、グラフィカルユーザインタフェース（ＧＵＩ）機能が搭載されている。
【００３７】
全体画像エリアＶには、アスペクト比が１６：９の縦×横が１９２０×１０８０ピクセルの画像信号から、同じアスペクト比１６：９の画像として表示されるように、間引き処理が施される。また、設定画面上に、ポインティングデバイス１４ｃの動きに対応するカーソルＺが表示される。ポインティングデバイス１４ｃは、例えばマウスのように、本体を水平方向または垂直方向に移動させ、ボールや赤外線、レーザーなどを利用したセンサで移動を検知し、２次元の移動距離情報をＣＰＵ６４へ出力することや、左クリック操作が為されると、ＣＰＵ６４へ左クリック情報を出力することを行う。ＣＰＵ６４は移動距離情報に基づいて、設定画面上にカーソルＺの移動を表示させることや、左クリック情報に基づいて、選択／設定を認識することを行う。
【００３８】
次に、逆光補正処理における重み付け量に寄与する、重み付け設定値の設定方法について説明する。
【００３９】
まず、図５に示すように、全体画面エリアＶの画像は、４８個の分割エリアに分割されて表示される。この４８個の分割エリアは、５つのグループであるＴＯＰグループ、ＢＯＴＴＯＭグループ、ＬＥＦＴグループ、ＲＩＧＨＴグループおよびＣＥＮＴＥＲグループにグループ分けされる。ＴＯＰグループは、１行目の８個の分割エリアで構成され、ＢＯＴＴＯＭグループは、６行目の８個の分割エリアで構成される。ＬＥＦＴグループは、２行目〜４行目の１列〜２列に該当する８個の分割エリアで構成され、ＲＩＧＨＴグループは、２行目〜４行目の７列〜８列に該当する８個の分割エリアで構成され、ＣＥＮＴＥＲグループは、残りの１６個の分割エリアで構成される。
【００４０】
さて、監視カメラ１０における逆光補正処理では、中央部重点測光を採用している。そして、ＣＥＮＴＥＲグループが中央部に対応し、従って、ＣＥＮＴＥＲグループに対応する輝度データに割り当てられている重み付け量は、高い値となっている。一方、ＣＥＮＴＥＲグループ以外の夫々のグループに対応する輝度データに割り当てられる重み付け量は、画像処理装置１４で設定される重み付け設定値によって決定される。したがって、重み付け設定値が設定されると、監視カメラ１０へ該重み付け設定値を出力し、監視カメラ１０のＣＰＵ２４は、重み付け設定値に基づいて、重み付けテーブルメモリ５２に格納される重み付けテーブルに、夫々の値を割り当てる。
【００４１】
また、ＣＰＵ６４は、ＣＥＮＴＥＲグループ以外の各グループの画像の画像信号に対して、設定された重み付け設定値に対応する、画像信号を減衰させるための利得値を設定する。そして、全体画面エリアＶに表示される画像の画像信号に、該利得値に基づいて減衰処理を施し、表示する。具体的には、画像信号の輝度信号に対して、減衰処理を施す。従って、全体画面エリアＶに表示される画像は、グループ毎に明度が異なる。このように、重み付け設定値に対応して、画像信号に減衰処理を施すようにしたため、ユーザは、各グループにどんな重み付け設定値を設定したかを、直感的に理解することができる。
【００４２】
また、逆光補正設定では、ＣＥＮＴＥＲグループの分割エリアの個数を変更することができ、それに応じて、ＴＯＰグループ、ＢＯＴＴＯＭグループ、ＬＥＦＴグループおよびＲＩＧＨＴグループの分割エリアの個数が変更される。
【００４３】
グループ個数の変更方法を具体的に説明すると、まず、ポインティングデバイス１４ｃを操作して、カーソルＺを全体画面エリアＶ上に移動させる。そして、ＣＥＮＴＥＲグループと他のグループとの境目の分割線上にカーソルＺを移動させると、カーソルＺが変形し、カーソルＸが表示される。ユーザは、左クリック操作を継続しながら移動させる、つまりはドラッグさせて、ＣＥＮＴＥＲグループの分割エリアの個数を変更する。カーソルＸをＣＥＮＴＥＲグループの外側にドラッグさせれば、分割エリアの個数が増え、カーソルＸをＣＥＮＴＥＲグループの内側にドラッグさせれば、分割エリアの個数が減少する。このように、ＣＥＮＴＥＲグループの分割エリアの個数の増減に応答して、他のグループの分割エリアの個数も増減する。つまり、ＣＥＮＴＥＲグループの分割エリアの個数が減少すれば、他のいずれかのグループの分割エリアの個数は増加し、ＣＥＮＴＥＲグループの分割エリアの個数が増加すれば、他のいずれかのグループの分割エリアの個数は減少する。上述した操作が為されることにより、各々グループの分割エリアの個数が変更される。
【００４４】
次に、ＣＥＮＴＥＲグループ以外の各グループの重み付け設定値の設定方法について説明する。上述したように、ＣＥＮＴＥＲグループは、中央部重点測光がなされるために、予め設定されている重み付け設定値から変更することができない。
【００４５】
図５に示すように、設定変更エリアＵは、設定アイテム欄および設定値欄が設けられ、設定アイテム欄には、“ＴＯＰ”、“ＢＯＴＴＯＭ”、“ＬＥＦＴ”、“ＲＩＧＨＴ”および“ＣＥＮＴＥＲ”の文字列が表示されている。ここで、これらの文字列は、それぞれ、ＴＯＰグループ、ＢＯＴＴＯＭグループ、ＬＥＦＴグループおよびＲＩＧＨＴグループに対応している。
【００４６】
そして、夫々の文字列に対応する設定値が、プルダウンボタンで表示される。ユーザは、このプルダウンボタンの“▼”を、ポインティングデバイス１４ｃを使用して左クリック操作を行い、縦方向に表示される重み付け設定値である、“０”、“１”、“２”、“３”、“４”、“５”、“６”および“７”の中から、ユーザが所望の重み付け設定値を左クリック操作することによって、重み付け設定値が選択される。この場合、“０”〜“７”のうち、数値の高い重み付け設定値に対応して、重み付け量が大きくなることを示している。
【００４７】
図５に示す設定変更エリアＵを参照すると、ＴＯＰグループの重み付け設定値は２、ＢＯＴＴＯＭグループの重み付け設定値は４、ＬＥＦＴグループの重み付け設定値は４、ＲＩＧＨＴグループの重み付け設定値は３と設定されている。そして、セットボタンＳがポインティングデバイス１４ｃによって左クリック操作がなされることにより、各々のグループの重み付け設定値が決定される。このようにして、各々の分割エリアに対する重み付け設定値の決定が為される。
【００４８】
上述したように、この重み付け設定値の設定は、ユーザがポインティングデバイス１４ｃを操作することにより実行される。このように、ユーザが任意に重み付け設定値を設定できるようにされている理由を以下に述べる。
【００４９】
今、監視カメラ１０で撮像される被写体において、例えば、ＴＯＰグループに該当する箇所に蛍光灯のような高輝度の物体が存在し、ＲＩＧＨＴグループに該当する箇所に窓のようなやや高輝度の物体が存在したとする。この場合、算出される露出値に基づいて、逆光補正処理を行うと、監視用モニタ１２に表示される画像で高輝度な被写体が存在しない部分が、やや暗い画像となる。このように、監視する被写体によっては、高輝度である箇所が存在し、監視に適した露出値を算出できず、出力される画像が監視に適さない場合がある。従って、本実施例の画像処理装置１４では、ユーザが任意に重み付け設定値を設定できるように構成されている。即ち、ＴＯＰグループやＲＩＧＨＴグループの重み付け量を小さくして、高輝度な物体の影響をできるだけ抑えるようにしている。
【００５０】
さて、ＣＰＵ６４は、決定された各グループ、すなわち分割エリア毎の重み付け設定値に関連するデータに基づいて、ＳＤＲＡＭ７０内の利得値メモリ７０ａに格納されている図６に示す重み付け設定値／利得値変換テーブルを参照して、グループ領域毎の利得値を利得値メモリ７０ａに設定する。重み付け設定値が０に対して、利得値が８０と設定されるように、本実施例では、（重み付け設定値、利得値）＝（０、８０）、（１、７０）、（２、６０）、（３、５０）、（４、４０）、（５、３０）、（６、２０）、（７、０）と設定される。
【００５１】
ここで、図５に示す設定変更エリアＵを参照すると、利得値メモリ７０ａに設定されるグループ領域毎の利得値は、ＴＯＰグループが６０、ＢＯＴＴＯＭグループが４０、ＬＥＦＴグループが４０、ＲＩＧＨＴグループが５０となる。
【００５２】
この利得値が示す値は、ＬＣＤモニタ１４ａに表示される画像信号の輝度データに対して、何％減衰させるかを示している。例えば、利得値＝８０であれば、輝度信号に対して８０％減衰させる処理を施す。そして、利得値＝０であれば、輝度信号に対して０％減衰させる処理を施す、つまり何ら処理を施さないこととなる。
【００５３】
このように、重み付け設定値の値が大きいグループ領域では、画像の明度はあまり変わらず、重み付け設定値の値が小さいグループ領域では、画像の明度が低く、つまり画像が暗くなる。
【００５４】
また、ＣＥＮＴＥＲグループに対応する１６個の分割エリアの利得値は０である。ＣＥＮＴＥＲグループに対応する１６個の分割エリアに対しては、重み付け設定値を変更することができないため、ユーザに直感的に変更の度合いを理解させるために行っている画像信号に対する減衰処理を施す必要がない。つまり、ＣＥＮＴＥＲグループは、中央部重点測光における中央部であることをユーザは理解しているため、減衰処理を施す必要がない。
【００５５】
ＣＰＵ６４は、この利得値テーブルを用いて、各々の分割エリアに対応する画像信号に対して減衰処理を施し、ＬＣＤモニタドライバ７２に出力することによって、減衰処理が施された画像信号に対応する画像をＬＣＤモニタ１４ａに表示させる。
【００５６】
また、各グループ、すなわち分割エリア毎の重み付け設定値に関連するデータは、通信インタフェース６０を介して、監視カメラ１０へ出力される。
【００５７】
監視カメラ１０では、ＣＰＵ２４が、通信インタフェース４０を介して、分割エリア毎の重み付け設定値に関連するデータを認識する。ＣＰＵ２４は、該データを参照して、撮像処理部２０内の重み付けテーブルメモリ５２に格納されている重み付けテーブルを設定する。図５において設定された各々の分割エリアの重み付け設定値に対応する重み付けテーブルは、図７に示されるように設定される。説明の便宜上、画像処理装置１４の設定画面にて設定された重み付け設定値と同じ値としている。図７に示すように、重み付け量の大きさは、画面中央のエリアの重み付け量、次に画面左および画面下のエリアの重み付け量、次に画面右の重み付け量、といった大きさの順に、重み付け量が割り当てられる。
【００５８】
監視カメラ１０は、逆光補正処理を行う際に、重み付け回路４８にて該重み付けテーブルに基づく重み付け量を、輝度データに対して掛け算する。以降の処理は、上述したとおりである。
【００５９】
次に、図８のフローチャートを参照して、本実施例の画像処理装置１４に適用される、逆光補正設定処理におけるＣＰＵ６４の動作について説明する。
【００６０】
逆光補正設定処理がスタートすると、まず、ステップＳ１において、重み付け設定値／利得値変換テーブルを用いて、グループ領域毎の利得値を、夫々のグループの利得値メモリ７０ａに設定する。
【００６１】
次に、ステップＳ３へ進み、グループ領域毎の利得値メモリ７０ａの利得値に基づいて、各分割エリアの画像信号に対して、減衰処理を施し、ステップＳ５へ進む。
【００６２】
ステップＳ５では、減衰処理が施された画像信号に基づく画像をＬＣＤモニタ１４ａに表示させる。そしてステップＳ７へ進む。ステップＳ７では、ポインティングデバイス１４ｃによって、プルダウンボタン操作による、重み付け設定値の変更設定が有ったか否かを判別する。
【００６３】
ステップＳ７において、ＮＯと判別すると、ステップＳ９に進み、ポインティングデバイス１４ｄによって終了操作が有ったか否かを判別し、ＮＯと判別するとステップＳ７へ戻る。一方、ステップＳ９においてＹＥＳと判別すると、逆光補正設定処理を終了する。
【００６４】
ステップＳ７において、ＹＥＳと判別すると、ステップＳ１１へ進み、ステップＳ７において、設定された重み付け設定値に基づいて、逆光補正のための重み付け量に関連するデータを生成し、監視カメラ１０へ送信する。そして、ステップＳ１に戻る。
【００６５】
このように、本実施例による画像処理装置１４では、監視カメラ１０で実行される逆光補正処理に対して、ユーザによる重み付け量設定を可能にするとともに、ユーザに対して、重み付け量の度合いを視覚的に分かりやすく表示させることで、ユーザの操作の利便性を向上させることができる。
【００６６】
なお、本実施例では、利得値メモリ７０ａが画像処理装置１４のＳＤＲＡＭ７０に設けられ、画像処理装置１４のＣＰＵ６４が重み付け設定値／利得値変換テーブルを用いて、重み付け設定値に対応する利得値を該利得値メモリ７０ａにグループ毎に格納しているが、監視カメラ１０のＳＤＲＡＭ２８内に、利得値メモリ７０ａを設けて、監視カメラ１０のＣＰＵ２４が利得値をグループ毎に格納してもよい。この場合、画像処理装置１４で設定された重み付け設定値のデータは、監視カメラ１０に出力され、監視カメラ１０内で重み付け設定値に対応する利得値を格納し、該利得値を画像処理装置１４へ出力し、画像処理装置１４は、該利得値に基づいて、画像信号の輝度信号に対して減衰処理を施すことになる。
【００６７】
また、本実施例の画像処理装置は、ＬＣＤモニタ１４ａ、信号処理装置１４ｂおよびポインティングデバイス１４ｃで構成されているが、信号処理装置１４ｂがいわゆるパーソナルコンピュータであっても良い。その場合、本実施例における、各種設定画面表示を実行するためのプログラムは、記録媒体に格納されており、ユーザによって該プログラムをインストールされることによって、パーソナルコンピュータが各種の処理を実行する。
【００６８】
また、本実施例では、１フレームの画像を４８個の分割エリアに分割したが、２５６個の分割エリアに分割しても良い。
【００６９】
また、本実施例では、重み付け設定値に応じて、画像信号の輝度信号に対して減衰処理を施していたが、増幅処理を施すことにより、表示される画像を明るくしてもよい。
【図面の簡単な説明】
【００７０】
【図１】本発明の一実施例である画像処理装置、監視カメラおよび監視用モニタとの接続例を示す図である。
【図２】本発明の一実施例である監視カメラの構成を示すブロック図である。
【図３】本発明の一実施例である撮像処理部の構成を示すブロック図である。
【図４】本発明の一実施例である画像処理装置の構成を示すブロック図である。
【図５】本発明の一実施例であるＬＣＤモニタ１４ａ上に表示される逆光補正設定の設定画面を示す図解図である。
【図６】本発明の一実施例である重み付け設定値／利得値変換テーブルを示す図解図である。
【図７】本発明の一実施例である重み付けテーブルを示す図解図である。
【図８】本発明の一実施例である画像処理装置の動作の一部を示すフロー図である。
【符号の説明】
【００７１】
２      …監視カメラシステム
１０    …監視カメラ
１４    …画像処理装置
１４ａ  …ＬＣＤモニタ
１４ｂ  …信号処理装置
１４ｃ  …ポインティングデバイス
６４    …ＣＰＵ
７０    …ＳＤＲＡＭ
７０ａ  …グループ領域毎の利得値
【図１】
2010068492.tif 000003
【図２】
2010068492.tif 000004
【図３】
2010068492.tif 000005
【図４】
2010068492.tif 000006
【図５】
2010068492.tif 000007
【図６】
2010068492.tif 000008
【図７】
2010068492.tif 000009
【図８】
2010068492.tif 000010